(57)【特許請求の範囲】
【請求項１】
リール本体部と、
前記リール本体部に回転可能に支持されているスプールと、
前記スプールの軸心に設けられている中空部に回転可能に挿通されており、その一端部が前記リール本体部から外部に露出するように配されているスプール軸と、
前記スプール軸の一端部に着脱可能とされ、前記リール本体部の外部に配置されるモーター動力部と、
前記スプール軸の他端部側の配置で前記リール本体部に回転可能に装着されているハンドルと、
前記ハンドルが回転された駆動力を前記スプールに伝達する第１の回転伝達機構と、
前記スプール軸を介して入力された前記モーター動力部の駆動力を前記スプールに伝達する第２の回転伝達機構と、
を備えたことを特徴とする魚釣り用リール。
【請求項２】
前記リール本体部は、前記スプールの一端側を支持する第１本体部と、前記スプールの他端側を支持する第２本体部と、を有しており、
前記ハンドルは、前記第１本体部に装着され、前記第１の回転伝達機構は、前記第１本体部側に配設されており、
前記スプール軸の一端部は、前記第２本体部側から露出するように配され、前記第２の回転伝達機構は、前記第１本体部側で前記スプール軸の他端部に配設されており、
前記第１の回転伝達機構と前記第２の回転伝達機構はそれぞれ、前記スプールの一端側に前記駆動力を伝達するように構成されていることを特徴とする請求項１に記載の魚釣り用リール。
【請求項３】
前記第１の回転伝達機構と前記第２の回転伝達機構はそれぞれ遊星歯車機構であり、前記スプールの一端側に設けられている内歯車に歯合されていることを特徴とする請求項１又は２に記載の魚釣り用リール。
【請求項４】
当該魚釣り用リールから前記第２本体部の少なくとも一部が取り外された状態で、前記スプールは前記スプール軸から取り外し可能とされていることを特徴とする請求項１〜３のいずれか一項に記載の魚釣り用リール。
【発明の詳細な説明】
【技術分野】
【０００１】
本発明は、手動式リールとしても電動式リールとしても使用可能な魚釣り用リールに関する。
【背景技術】
【０００２】
従来、魚釣り用リールとして、糸の巻き取りが手動式のリールと電動式のリールがそれぞれ市販されており、ユーザーは狙う魚の釣り方（仕掛け）や、狙う魚のいる深度などに応じて、それらを適宜使い分けている。
【０００３】
例えば、手動式リールは、リール本体に回転可能に備えられているスプール（糸巻き）と、リール本体に回転可能に装着されているハンドルと、そのハンドルを回転させた駆動力をスプールに伝達するハンドル回転伝達機構などを備えている。
また、電動式リールは上記手動式リールの構成に加え、リール本体に配設されているモーターと、そのモーターの駆動力をスプールに伝達するモーター回転伝達機構などを備えている（例えば、特許文献１参照。）。
【０００４】
また、手動式リールにモーターを取り付けて、電動式リールとしても使用可能にする技術が知られている（例えば、特許文献２参照。）。
【先行技術文献】
【特許文献】
【０００５】
【特許文献１】特開２０１６−８６６５７号公報
【特許文献２】特開平０３−１８７３３０号公報
【発明の概要】
【発明が解決しようとする課題】
【０００６】
ところで、特許文献１のようにモーターが内蔵されている電動式リールは重く、サイズが大型化してしまいがちであった。
また、手動式リールのユーザーが釣りの途中で狙う魚を変更する際、その魚のサイズやその魚がいる深度に対応させるように、釣り糸をスプール毎交換することがあるが、電動式リールのユーザーは釣り糸をスプール毎交換することはない。これは、電動式リールに内蔵されているモーターやモーター回転伝達機構が、スプールの脱着の妨げになっていることによる。
【０００７】
また、特許文献２の魚釣り用リールの場合、モーターを取り付けるためにハンドルを取り外さなければならず、手動式と電動式の切り替えが煩雑であった。
【０００８】
そこで、本発明者らは鋭意検討し、リール自体のサイズが大型化することなく、手動式でも電動式でも釣り糸の巻き取りが可能な魚釣り用リールを開発するに至った。
【０００９】
本発明の目的は、手動式リールとしても電動式リールとしても好適に使用できる魚釣り用リールを提供することである。
【課題を解決するための手段】
【００１０】
以上の課題を解決するため、請求項１に記載の発明は、魚釣り用リールであって、
リール本体部と、
前記リール本体部に回転可能に支持されているスプールと、
前記スプールの軸心に設けられている中空部に回転可能に挿通されており、その一端部が前記リール本体部から外部に露出するように配されているスプール軸と、
前記スプール軸の一端部に着脱可能とされ、前記リール本体部の外部に配置されるモーター動力部と、
前記スプール軸の他端部側の配置で前記リール本体部に回転可能に装着されているハンドルと、
前記ハンドルが回転された駆動力を前記スプールに伝達する第１の回転伝達機構と、
前記スプール軸を介して入力された前記モーター動力部の駆動力を前記スプールに伝達する第２の回転伝達機構と、
を備えたことを特徴とする。
【００１１】
請求項２に記載の発明は、請求項１に記載の魚釣り用リールにおいて、
前記リール本体部は、前記スプールの一端側を支持する第１本体部と、前記スプールの他端側を支持する第２本体部と、を有しており、
前記ハンドルは、前記第１本体部に装着され、前記第１の回転伝達機構は、前記第１本体部側に配設されており、
前記スプール軸の一端部は、前記第２本体部側から露出するように配され、前記第２の回転伝達機構は、前記第１本体部側で前記スプール軸の他端部に配設されており、
前記第１の回転伝達機構と前記第２の回転伝達機構はそれぞれ、前記スプールの一端側に前記駆動力を伝達するように構成されていることを特徴とする。
【００１２】
請求項３に記載の発明は、請求項１又は２に記載の魚釣り用リールにおいて、
前記第１の回転伝達機構と前記第２の回転伝達機構はそれぞれ遊星歯車機構であり、前記スプールの一端側に設けられている内歯車に歯合されていることを特徴とする。
【００１３】
請求項４に記載の発明は、請求項１〜３のいずれか一項に記載の魚釣り用リールにおいて、
当該魚釣り用リールから前記第２本体部の少なくとも一部が取り外された状態で、前記スプールは前記スプール軸から取り外し可能とされていることを特徴とする。
【発明の効果】
【００１４】
本発明によれば、手動式リールとしても電動式リールとしても好適に使用できる魚釣り用リールが得られる。
【図面の簡単な説明】
【００１５】
【図１】本実施形態の魚釣り用リールを示す断面図であり、手動式リールの態様（ａ）と、電動式リールの態様（ｂ）を示している。
【図２】本実施形態の魚釣り用リールからスプールを取り外して交換する状態を示した断面図である。
【図３】魚釣り用リールの変形例を示す断面図であり、手動式リールの態様（ａ）と、電動式リールの態様（ｂ）を示している。
【図４】本実施形態（変形例）の魚釣り用リールからスプールを取り外して交換する状態を示した断面図である。
【発明を実施するための形態】
【００１６】
以下、図面を参照して、本発明に係る魚釣り用リールの実施形態について詳細に説明する。但し、以下に述べる実施形態には、本発明を実施するために技術的に好ましい種々の限定が付されているが、本発明の範囲を以下の実施形態及び図示例に限定するものではない。
【００１７】
本実施形態の魚釣り用リール１００は、例えば、図１（ａ）（ｂ）に示すように、リール本体部１０と、リール本体部１０に回転可能に支持されているスプール２０と、スプール２０の軸心に設けられている中空部２０ａに回転可能に挿通されており、その一端部３１がリール本体部１０から外部に露出するように配されているスプール軸３０と、スプール軸３０の一端部３１に着脱可能とされ、リール本体部１０の外部に配置されるモーター動力部５０と、スプール軸３０の他端部３２側の配置でリール本体部１０に回転可能に装着されているハンドル４０と、ハンドル４０が回転された駆動力をスプール２０に伝達する第１の回転伝達機構６０と、スプール軸３０を介して入力されたモーター動力部５０の駆動力をスプール２０に伝達する第２の回転伝達機構７０等を備えている。
【００１８】
リール本体部１０は、スプール２０の一端側２１を支持する第１本体部１１と、スプール２０の他端側２２を支持する第２本体部１２と、を有している。
この第１本体部１１と第２本体部１２は連結部１３によって連結されており、一体に組み付けられている。
なお、リール本体部１０における第１本体部１１側に、第１の回転伝達機構６０と第２の回転伝達機構７０が配設されている。
【００１９】
スプール２０は、後述するように、リール本体部１０から取り外すことが可能になっている。
このスプール２０には釣り糸（ライン）が結ばれており、その釣り糸（図示省略）が巻回されている。
【００２０】
スプール軸３０の一端部３１は、リール本体部１０における第２本体部１２側から露出するように配されており、スプール軸３０の他端部３２は第１本体部１１側に配されている。
その第１本体部１１側に配されているスプール軸３０の他端部３２に、第２の回転伝達機構７０が配設されている。
このスプール軸３０の他端部３２に配設されている第２の回転伝達機構７０は、スプール２０の一端側２１にモーター動力部５０の駆動力を伝達するように構成されている。
【００２１】
ハンドル４０は、リール本体部１０における第１本体部１１に装着されている。
具体的には、ハンドル４０は、第１歯車４１ａが設けられている第１ハンドル軸４１に取り付けられており、第１歯車４１ａと歯合している第２歯車４２ａが設けられている第２ハンドル軸４２に第１の回転伝達機構６０が配設されている。
このハンドル４０を回した回転力は、第１ハンドル軸４１、第１歯車４１ａ、第２歯車４２ａ、第２ハンドル軸４２、第１の回転伝達機構６０へと順に伝わる。
そして、第２ハンドル軸４２の端部に配設されている第１の回転伝達機構６０は、スプール２０の一端側２１にハンドル４０が回転された駆動力を伝達するように構成されている。
【００２２】
モーター動力部５０は、例えば、モーター５１と、そのモーター５１に繋がれているフレキシブルシャフト５２とコントローラー５３、図示しない電源等を備えている。
フレキシブルシャフト５２は、モーター５１の回転動力を離れた位置に伝達する周知の長尺な部材であり、可撓性を有している。このフレキシブルシャフト５２の端部５２ａが、スプール軸３０の一端部３１に接続可能に構成されている。
コントローラー５３は、モーター５１のオン／オフの切り替えなどを行う操作スイッチを備えている。
なお、フレキシブルシャフト５２の長さやコントローラー５３のケーブルの長さは任意であり、ユーザーがモーター５１やコントローラー５３を設置する箇所に応じた長さのものを用いればよい。
また、ここではケーブルを介してモーター５１に繋がれた有線タイプのコントローラー５３を図示したが、もちろん無線通信タイプのコントローラー５３でもよい。
【００２３】
第１の回転伝達機構６０は、遊星歯車機構であり、第２ハンドル軸４２の端部に固定されている太陽歯車６１と複数の遊星歯車６２と遊星キャリア６３等を備えて構成されている。
この第１の回転伝達機構６０（遊星歯車６２）は、スプール２０の一端側２１に設けられている内歯車２１ａに歯合されている。なお、この内歯車２１ａは、第１の回転伝達機構６０（遊星歯車機構）の要素の１つであるといえる。ここでの第１の回転伝達機構６０は、スター型の遊星歯車機構である。
また、太陽歯車６１と第２ハンドル軸４２の間には、一方向ベアリングなどのワンウェイクラッチ（図示省略）が配設されている。このワンウェイクラッチによってハンドル４０による一方向の回転力をスプール２０に伝達できるとともに、逆方向の回転力を遮断することができる。
【００２４】
第２の回転伝達機構７０は、遊星歯車機構であり、スプール軸３０の他端部３２に固定されている太陽歯車７１と複数の遊星歯車７２と遊星キャリア７３等を備えて構成されている。
この第２の回転伝達機構７０（遊星歯車７２）は、スプール２０の一端側２１に設けられている内歯車２１ａに歯合されている。なお、この内歯車２１ａは、第２の回転伝達機構７０（遊星歯車機構）の要素の１つであるといえる。ここでの第２の回転伝達機構７０は、スター型の遊星歯車機構である。
また、太陽歯車７１とスプール軸３０の間には、一方向ベアリングなどのワンウェイクラッチ（図示省略）が配設されている。このワンウェイクラッチによってモーター動力部５０による一方向の回転力をスプール２０に伝達できるとともに、逆方向の回転力を遮断することができる。
【００２５】
このような構成の魚釣り用リール１００を手動式リールとして使用する場合は、図１（ａ）に示すように、モーター動力部５０をスプール軸３０から取り外す。
そして、魚釣り用リール１００のハンドル４０を所定の方向に回転させると、その回転力が第１ハンドル軸４１、第１歯車４１ａ、第２歯車４２ａ、第２ハンドル軸４２、第１の回転伝達機構６０、スプール２０（内歯車２１ａ）へと順に伝わるので、そのスプール２０を回転させることができる。
このようにして魚釣り用リール１００のハンドル４０を回転させた駆動力がスプール２０に伝達され、スプール２０を回転させることができ、そのスプール２０に釣り糸を巻き取ることができる。
【００２６】
また、この魚釣り用リール１００を電動式リールとして使用する場合は、図１（ｂ）に示すように、モーター動力部５０をスプール軸３０に接続する。
そして、コントローラー５３を操作してモーター動力部５０のモーター５１を作動させると、そのモーター５１の回転力がフレキシブルシャフト５２、スプール軸３０、第２の回転伝達機構７０、スプール２０（内歯車２１ａ）へと順に伝わるので、そのスプール２０を回転させることができる。
このようにして魚釣り用リール１００のモーター動力部５０（モーター５１）を作動させた駆動力がスプール２０に伝達され、スプール２０を回転させることができ、そのスプール２０に釣り糸を巻き取ることができる。
なお、魚釣り用リール１００を電動式リールとして使用する際、モーター５１を設置する箇所は任意であり、そのモーター５１はユーザーのウエストバック内に収容しておいても、ユーザーの足元に置いておいてもよい。
また、コントローラー５３の設置箇所も任意であり、ユーザーが操作し易い箇所であれば、リール本体部１０の外面に取り付けておいても、ユーザーの足元に置いておいてもよい。
【００２７】
このように、本実施形態の魚釣り用リール１００は、手動式リールとしても電動式リールとしても使用できる。
【００２８】
特に、本実施形態の魚釣り用リール１００は、図２に示すように、スプール２０をリール本体部１０から取り外すことができるので、釣り糸をスプール２０毎交換することができる。
例えば、図２に示すように、第２本体部１２の可動部１２ａの配置を固定部１２ｂからずらすように、魚釣り用リール１００から第２本体部１２の少なくとも一部を取り外した状態にして、スプール２０をスプール軸３０やリール本体部１０から取り外すことができる。
これは、魚釣り用リール１００におけるモーター５１（モーター動力部５０）をリール本体部１０の外部に着脱自在に配置するようにしたことと、ハンドル４０や第１の回転伝達機構６０や第２の回転伝達機構７０を、リール本体部１０の第１本体部１１側に集約させたことによって、スプール２０をスプール軸３０の一端部３１側から引き抜くように、リール本体部１０の第２本体部１２側から取り外すことを可能にしたことによる。
なお、スプール軸３０と第２の回転伝達機構７０、第１の回転伝達機構６０は、図示しない支持体によって第１本体部１１側に支持されているので、スプール２０を脱着する際に外れてしまうことはない。
また、本実施形態では、第２本体部１２の可動部１２ａの配置を固定部１２ｂからずらすようにして、スプール２０をスプール軸３０から引き抜くための開口をつくったが、連結部１３から第２本体部１２を取り外して、スプール２０をスプール軸３０から引き抜くための開口をつくってもよい。
【００２９】
このように、スプール２０をリール本体部１０から取り外すことができる魚釣り用リール１００であれば、様々な釣り糸を巻回した複数のスプール２０を予め準備しておくことで、様々な水深（例えば、水深１００ｍから２０００ｍ）や様々な魚に対応する釣りに切り替えるように、速やかに釣り糸をスプール２０毎交換することができる。
【００３０】
前述したように、従来の電動式リールの場合、そのリール本体に内蔵されているモーターなどがスプールの脱着の妨げになっていたため、釣り糸をスプール毎交換することはできなかったが、本実施形態の魚釣り用リール１００では、モーター５１をリール本体部１０の外側に着脱自在にしたり、第１の回転伝達機構６０や第２の回転伝達機構７０をスプール２０の一端側２１に集約させたりしたことで、電動式リールとして使用可能な魚釣り用リール１００において、釣り糸をスプール２０毎交換することを可能にした。
【００３１】
以上のように、本実施形態の魚釣り用リール１００は、手動式リールとしても電動式リールとしても好適に使用できる。
特に、モーター５１（モーター動力部５０）をリール本体部１０の外側に配置させるようにしたことで、釣り糸をスプール２０毎交換することを可能にした。
また、モーター５１（モーター動力部５０）をリール本体部１０の外側に配置させるようにしたことで、魚釣り用リール１００のリール自体（リール本体部１０部分）を軽量化することができ、リールの操作性を向上させることができる。
【００３２】
また、従来の電動式リールのように、リール本体にモーターが内蔵されている場合、モーターの発熱が内部にこもって焼き付きを起こしてしまうことがあったが、本実施形態の魚釣り用リール１００のような外付けのモーター５１（モーター動力部５０）であれば放熱し易いので、焼き付きのような不具合の発生を低減することができる。
また、従来の電動式リールのように、リール本体にモーターが内蔵されている場合、モーターの大きさはリール本体のサイズに応じて制限されてしてしまうことがあるが、本実施形態の魚釣り用リール１００のような外付けのモーター５１であれば、リール本体部１０の大きさによって制限されないので、任意のモーター５１を使用し易くなる。例えば、任意の大きさのモーター５１や任意の性能のモーター５１を使用することができる。
【００３３】
なお、本発明は上記実施形態に限られるものではない。
例えば、図３（ａ）（ｂ）に示すように、第１の回転伝達機構６０が、ソーラー型の遊星歯車機構であってもよい。
ソーラー型の遊星歯車機構である第１の回転伝達機構６０は、第２ハンドル軸４２の端部に固定されている遊星キャリア６３と、遊星キャリア６３に支持されている複数の遊星歯車６２と、太陽歯車６１等を備えて構成されている。この太陽歯車６１は、第２の回転伝達機構７０の遊星キャリア７３から延在する軸に取り付けられている。
このように、この魚釣り用リール１００では、第１の回転伝達機構６０と第２の回転伝達機構７０が連結されている。
【００３４】
このような構成を有する魚釣り用リール１００も、手動式リールとしても電動式リールとしても好適に使用できる。
また、このような構成の魚釣り用リール１００であっても、図４に示すように、スプール２０をリール本体部１０から取り外すことができるので、釣り糸をスプール２０毎交換することができる。この魚釣り用リール１００においても、スプール軸３０と第２の回転伝達機構７０、第１の回転伝達機構６０は、図示しない支持体によって第１本体部１１側に支持されているので、スプール２０を脱着する際に外れてしまうことはない。
【００３５】
なお、以上の実施の形態においては、魚釣り用リール１００を手動式リールとして使用する場合と電動式リールとして使用する場合とについて説明したが、本発明はこれに限定されるものではない。例えば、モーター動力部５０をスプール軸３０に接続した状態で魚釣り用リール１００を手動式で使用する場合に、モーター５１（モーター動力部５０）の駆動力をユーザーがハンドル４０を回す際の補助力として活用する電動アシスト機能付きの魚釣り用リールとして使用するようにしてもよい。
また、以上の実施の形態においては詳述しなかったが、この魚釣り用リール１００は、ドラグ機能を有しており、手動式リールとして釣り糸を巻き上げているときも、電動式リールとして釣り糸を巻き上げているときも、魚の引きに合わせて釣り糸が切れない様に、スプール２０が逆回転するようになっている。
【００３６】
また、以上の実施の形態においては、第１の回転伝達機構６０と第２の回転伝達機構７０がスター型の遊星歯車機構である場合と、第１の回転伝達機構６０がソーラー型の遊星歯車機構で第２の回転伝達機構７０がスター型の遊星歯車機構である場合を例に説明したが、本発明はこれに限定されるものではなく、各回転伝達機構（６０，７０）は他の遊星歯車機構であってもよい。例えば、第１の回転伝達機構６０と第２の回転伝達機構７０が一体の遊星歯車機構（換言すれば、第１の回転伝達機構６０と第２の回転伝達機構７０が一つの遊星歯車機構）であってもよい。
また、第１の回転伝達機構６０と第２の回転伝達機構７０は遊星歯車機構であることに限らず、他の歯車機構であってもよい。
【００３７】
また、以上の実施の形態においては、ベイトリール（両軸リール）である魚釣り用リール１００のスプール２０をハンドル４０によって回転させる手動式と、そのスプール２０をモーター動力部５０によって回転させる電動式とに切り替え可能にしたものを例に説明したが、例えば、スピニングリールのベイルアームをハンドルによって回転させる手動式と、そのベイルアームをモーター動力部５０によって回転させる電動式とに切り替え可能な魚釣り用リールの技術に、本発明を応用してもよい。
【００３８】
また、その他、具体的な細部構造等についても適宜に変更可能であることは勿論である。
【符号の説明】
【００３９】
１０    リール本体部
１１    第１本体部
１２    第２本体部
１３    連結部
２０    スプール
２０ａ  中空部
２１    一端側
２１ａ  内歯車
２２    他端側
３０    スプール軸
３１    一端部
３２    他端部
４０    ハンドル
４１    第１ハンドル軸
４１ａ  第１歯車
４２    第２ハンドル軸
４２ａ  第２歯車
５０    モーター動力部
５１    モーター
５２    フレキシブルシャフト
５３    コントローラー
６０    第１の回転伝達機構
６１    太陽歯車
６２    遊星歯車
６３    遊星キャリア
７０    第２の回転伝達機構
７１    太陽歯車
７２    遊星歯車
７３    遊星キャリア
１００  魚釣り用リール
【要約】      （修正有）【課題】手動式リールとしても電動式リールとしても好適に使用できる魚釣り用リールを提供する。【解決手段】魚釣り用リール１００が、リール本体部１０と、リール本体部１０に回転可能に支持されているスプール２０と、スプール２０の軸心に設けられている中空部２０ａに回転可能に挿通されており、その一端部３１がリール本体部１０から外部に露出するように配されているスプール軸３０と、リール本体部１０に回転可能に装着されているハンドル４０と、スプール軸３０の一端部３１に着脱可能とされ、リール本体部１０の外部に配置されるモーター動力部５０と、ハンドル４０が回転された駆動力をスプール２０に伝達する第１の回転伝達機構６０と、スプール軸３０を介して入力されたモーター動力部５０の駆動力をスプール２０に伝達する第２の回転伝達機構７０と、を備える構成にした。【選択図】図１【図１】
0006647610.tif 000002
【図２】
0006647610.tif 000003
【図３】
0006647610.tif 000004
【図４】
0006647610.tif 000005